(57)【特許請求の範囲】
【請求項１】
医療機器のためのカート（２）であって、該カート（２）が床に載置されるようになっておりかつ：
医療機器のためのキャリヤ（４）に設けられた連結手段（２６）と係合するための、連結手段の収容部（１４）と；
キャリヤ（４）をカート（２）にロックするために、前記キャリヤ（４）に設けられた第２のロッキング部（２４）と相互作用するための第１のロッキング部（１２）とが設けられており、
前記連結手段（２６）が前記収容部（１４）に収容された後に前記連結手段が前記キャリヤのための旋回軸を形成するように前記収容部（１４）が形成されており、
前記キャリヤ（４）が前記旋回軸を中心として移動させられるときに前記第２のロッキング部を前記第１のロッキング部（１２）に向かって移動させるように前記第１のロッキング部（１２）が形成されており、前記第２のロッキング部が前記第１のロッキング部（１２）にロックされている場合に前記キャリヤのいかなる部分も床に接触しないように前記第１のロッキング部（１２）が配置されている形式のものにおいて、
前記収容部（１４）が、最も低い位置を有する凸状の溝を有しており、該凸状の溝が、前記連結エレメント（２６）を前記最も低い位置まで案内するようになっていることを特徴とする、医療機器のためのカート。
【請求項２】
第１のロッキング部（１２）が、少なくとも１つの鉛直方向のチャネル（１２Ａ，１２Ｂ）から成っており、該チャネルが、チャネル（２８）の幅よりも狭幅な開口を有している、請求項１記載のカート。
【請求項３】
医療機器のためのキャリヤ（４）であって、
車輪（１８）が設けられた底部区分（２０）と、
医療機器のためのカート（２）に設けられた収容部（１４）と係合するための連結手段（２６）と、
キャリヤ（４）をカート（２）にロックするために、前記カート（２）に設けられた第１のロッキング部（１２）と相互作用するための第２のロッキング部（２４）と、
接合部において前記底部区分（２０）に接合された裏側区分（１６）と、
旋回軸として働く軸が設けられており、前記裏側区分（１６）が、キャリヤを運搬するために底部区分（２０）全体を床から持ち上げるためのレバーとして働くようになっており、
前記連結手段（２６）が、キャリヤ（４）のための別の旋回軸を形成するために前記カート（２）における前記収容部（１４）に挿入されるようになっており、
キャリヤ（４）がカート（２）にロックされた後にキャリヤ（４）のいかなる部分も床に接触しないように、キャリヤ（４）が前記別の旋回軸を中心として持ち上げられた場合に前記第２のロッキング部（２４）が第１のロッキング部（１２）に向かって可動である形式のものにおいて、
前記軸が、１対の車輪（１８）が回転可能に取り付けられた前記接合部に配置されていることを特徴とする、キャリヤ。
【請求項４】
連結手段（２６）が、舌片状であり、キャリヤ（４）が前記収容部（１４）から滑り出るのを防止するために前端部において湾曲されている、請求項３記載のキャリヤ。
【請求項５】
第２のロッキング部（２４）に、キャリヤ（４）をカート（２）にロックするために第１のロッキング部（１２）に挿入されるように形成された少なくとも１つのピストン（３２Ａ，３２Ｂ）が備えられている、請求項３又は４記載のキャリヤ。
【請求項６】
第２のロッキング部（２４）が、ピストン（３２Ａ，３２Ｂ）をロッキング位置に予負荷するためのばね装置（４６Ａ，４６Ｂ，４８Ａ，４８Ｂ）と、ピストン（３２Ａ，３２Ｂ）を第１のロッキング部（１２）から取り外すための解放手段（３６Ａ，３６Ｂ，３８Ａ，３８Ｂ，４０，４４Ａ，４４Ｂ）とを有しており、ピストン（３２Ａ，３２Ｂ）に傾斜した縁部が設けられている、請求項５記載のキャリヤ。
【請求項７】
キャリヤ（４）が、医療機器のための多数の交換可能な取付けユニット（２２Ａ，２２Ｂ）を有している、請求項３から６までのいずれか１項記載のキャリヤ。
【請求項８】
キャリヤ（４）が、ガスシリンダを運搬するための取付けユニット（２２Ａ）を有している、請求項３から７までのいずれか１項記載のキャリヤ。
【発明の詳細な説明】
【０００１】
【発明の属する技術分野】
本発明は、請求項１の上位概念部に記載のカートと、請求項４の上位概念部に記載のキャリヤと、請求項１０の上位概念部に記載のカート及びキャリヤとに関する。
【０００２】
【従来の技術】
集中治療及びその他のケアにおける医療機器の要求は主として患者の条件によって決定される。ここでは「患者」とは人間及び動物を指す。したがって、患者の条件が変化した場合には機器の構成が変化されなければならない。同時に、患者を取り巻くスペースが制限されており、患者を別の場所へ移動させる必要が起こりうることも考慮しなければならない。
【０００３】
したがって、ヘルスケア分野においては機器をスムーズかつ簡単に構成し、この機器を優勢な要求（患者の条件のあらゆる変化、搬送等）に適応できるようにする必要がある。
【０００４】
【発明が解決しようとする課題】
したがって、本発明の目的は、請求項１に記載したような、前記のような変化する要求にスムーズかつ簡単に適用させることができるカートを提供することである。
【０００５】
本発明の別の目的は、請求項４に記載したような、前記のような変化する要求にスムーズかつ簡単に適応させることができるキャリヤを提供することである。
【０００６】
本発明の更に別の目的は、種々異なる目的のための医療機器に対する変化する要求への容易な適応を可能にするカート及びキャリヤ組合せを提供することである。
【０００７】
【課題を解決するための手段】
本発明によれば第１の目的は、カートが請求項１の特徴部に記載のように構成された場合に達成される。
【０００８】
カートの有利な改良及び具体化は、請求項１に係る従属請求項に記載されている。
【０００９】
収容部と第１のロッキング部とを備えた設計により、カートをキャリヤと組み合わせることができ、これにより、最小限のスペースを占める機器を機器全体（カート及びキャリヤ）の移動を妨害することなく所望の場所へ移動させることができる。
【００１０】
収容部は、ほぼ凸状の若しくは湾曲した溝として形成することができると有利である。この設計によりキャリヤとカートとの相互作用があまり敏感でなくなる。なぜなら、キャリヤをカートにロックするために溝がキャリヤをカートに対して正しい位置へガイドするからである。
【００１１】
第１のロッキング部は、２つの鉛直方向のチャネルから形成されていると有利であり、これらのチャネルは、チャネルの幅よりも狭幅の開口を有している。１つのチャネルでも十分であるが、２つのチャネルはよりより対称性及び安定性を提供する。
【００１２】
本発明によれば第２の目的は、キャリヤが請求項４の特徴部に記載のように構成された場合に達成される。
【００１３】
キャリヤの有利な改良及び具体化は、請求項４に係る従属請求項に記載されている。
【００１４】
連結手段と第２のロッキング部とを備えた設計により、キャリヤをカートに連結することができ、最小限のスペースを占める機器を、機器全体（カート及びキャリヤ）の移動を妨害することなく所望の場所へ容易に移動させることができる。連結手段が旋回軸として、裏側区分がトルクアームとして働くので、比較的重い機器（ガスシリンダ等）でさえも、旋回軸を中心にキャリヤを持ち上げることによって容易にカートに結合することができる。
【００１５】
連結手段は、僅かな湾曲を備えた舌片として形成されていると有利であり、これによりキャリヤが持ち上げられる時にキャリヤが収容部から滑り外れるのを防止している。これにより、事故、スタッフの怪我及び機器の損傷の危険性が減じられる。舌片の下側は、カートに設けられた凸状の溝の下部に対応するように形成されていると有利である。これにより連結がより確実となり、キャリヤが持ち上げられる時にロッキング部が自動的に互いに向かってガイドされる。
【００１６】
第２のロッキング部は有利にはフックから形成されることができる。これは、第１のロッキング部がチャネルとして形成されている場合に特に有利であり、これらのチャネルはチャネルの幅よりも狭幅の開口を有している。２つのチャネルがカートに配置されている場合は２つのフックが用いられると有利である。フックは互いに反対向きに形成されていると有利である。
【００１７】
フックは、有利にはロッキング方向にばねによって予負荷されていることができる。フックの縁部を傾斜させることによって、フックをチャネル内に真っ直ぐにばね力に抗してロッキング位置に到達するまで挿入することが容易になる。解放装置は、フックを解離させることによってキャリヤをカートから容易に取り外すことができ、次いでキャリヤを床に向かって降ろすことができる。
【００１８】
運搬したい機器の適応は、交換可能な取付けユニットをキャリヤに装備することによって達成されると有利である。例えば、患者を別の場所へ移動させたい場合にキャリヤにガスシリンダ用の取付けユニットを装着することができる。これにより、ガスシリンダは移動中に、カートに積載されたベンチレータにガスを供給する。
【００１９】
本発明によれば第３の目的は、請求項１０の特徴部に記載のようにカート及びキャリヤが構成されている場合に達成される。
【００２０】
【発明の実施の形態】
図１は、本発明が医療機器のためのカート２及びキャリヤ４に関することを示している。点線は、キャリヤ４をカート２に連結することができることを示しており、これにより、カート２とキャリヤ４とが別々の場合よりも便利で操作しやすい組合せを形成することができる。これは特に医療分野において有利である。
【００２１】
カート２は、カートを所望の位置、例えば集中治療ユニットにおける病院ベッドの近くへ移動しやすくする車輪６を有している。車輪６はロック可能であると有利である。取扱いを容易にするために、カート２にハンドル８を装備することができる。カートが運搬しようとする医療機器、例えばベンチレータ、患者モニタ及び電池パック（電源故障の際のバックアップ電源）、のための様々な棚１０又は同様のものを設けることができる。カート２には、カート２をキャリヤ４に連結するための第１のロッキング部１２と収容部１４とが設けられている。第１のロッキング部１２と収容部１４については後で詳しく説明する。
【００２２】
キャリヤ４は主として、後側区分１６と、１対の車輪１８と、底部区分２０とから成っている。キャリヤ４には、医療機器、例えば患者が別の場所へ運搬されている時にガスを（カート２上の）ベンチレータに供給するためにガスシリンダのための取付けユニット２２Ａを設けることもできる。取付けユニット２２Ａは、別の機器のための別の取付けユニットと交換することができる。択一的に、別の機器のために別のキャリヤ４を使用することができる。
【００２３】
１対の車輪１８はキャリヤ４のための旋回軸として働き、後側区分１６はレバーとして働く。これにより、重い機器を運搬する場合でさえもキャリヤ４を容易に移動させることができる。
【００２４】
キャリヤ４は第２のロッキング部２４と連結手段２６とを有している。連結手段２６は、カート２に設けられた収容部１４に嵌合し（点線で示したキャリヤ輪郭によって示されている）、連結手段２６が収容部１４に掛合した後にキャリヤ４のための旋回軸として機能する。次いで、キャリヤ４を容易に持ち上げることができ、これにより第２のロッキング部２４を第１のロッキング部１２に向かって前進させることができ、これによりキャリヤ４をカート２にロックする。
【００２５】
図２はカート２の収容側を示している。図２から分かるように、収容部１４がほぼ凸状の若しくは湾曲した溝から成ることができる。凸状であることにより、キャリヤが、カート２にロックするために正しい位置に自動的にセンタリングされることが保証される。
【００２６】
この実施例では、第１のロッキング部１２は２つのチャネル１２Ａ，１２Ｂから成っている。第１のチャネル１２Ａの拡大断面図は、チャネル１２Ａ，１２ＢがＴ字形であることを示しており、チャネル２８自体は開口３０よりも幅広である。
【００２７】
図３は、連結手段２６の１つの実施例を示している。この態様では、連結手段２６は原則として、前側において僅かに湾曲している突出した舌片から成っている。僅かに湾曲していることにより、キャリヤを持ち上げ始めた時に連結手段２６がカートの収容部から滑り外れないことが保証される。横断面Ａ−Ａは、連結手段２６の底部も凸状であってよいことを示している。凸形状は、図２に示した収容部の対応する凸形状に適合するように適切に形成されている。これにより、キャリヤとカートとのより安定した連結が保証される。
【００２８】
図４及び図５は、第２のロッキング部２４を種々異なる角度から示しており、図４は第２のロッキング部２４がどのように第１のロッキング部１２と相互作用するかを示している。第２のロッキング部２４は２つのピストン３２Ａ，３２Ｂを有しており、これらのピストンは、第１のロッキング部１２に設けられたチャネル１２Ａ，１２Ｂに嵌合する。連結時には、ピストン３２Ａ，３２Ｂは、チャネル１２Ａ，１２Ｂに進入するために一方の側へ移動させられる。適切な案内及び側方移動を提供するためにピストン３２Ａ，３２Ｂには斜面若しくは傾斜した縁部が設けられている。ピストン３２Ａ，３２Ｂが十分に深くチャネル１２Ａ，１２Ｂに進入すると、ピストンは元の位置に戻り、キャリヤをカートにロックする。
【００２９】
ピストン３２Ａ，３２Ｂは、第２のロッキング部２４に設けられた孔３４Ａ，３４Ｂから突出しており（図５）、キャリヤをカートから取り外したい場合にピストン３２Ａ，３２Ｂを第１のロッキング部から解離させるために解放手段３６Ａ，３６Ｂによって作用されることもできる。解放手段３６Ａ，３６Ｂはそれぞれ、第１の連結リンク３８Ａ，３８Ｂを介して、旋回軸４２に取り付けられたレバー４０に作用することができる。解放手段３６Ａ，３６Ｂが押圧されると、レバー４０が引っ張られて旋回軸４４を中心に旋回させられる。個々の第２の連結リンク４４Ａ，４４Ｂもレバー４０に接続されている。個々の第２の連結リンク４４Ａ，４４Ｂは個々のピストン３２Ａ，３２Ｂに取り付けられている。
【００３０】
ピストン３２Ａ，３２Ｂはばね４６Ａ，４６Ｂによって予負荷されている。ばね４６Ａ，４６Ｂはピストン３２Ａ，３２Ｂとストッパ４８Ａ，４８Ｂとの間に配置されている。レバー４０が引っ張られて旋回軸４４を中心に旋回させられると、第２の連結リンク４４Ａ，４４Ｂ及びピストン３２Ａ，３２Ｂがそれぞれ予負荷に抗して引っ張られる。
【図面の簡単な説明】
【図１】本発明によるカート及びキャリヤを示す図である。
【図２】カートに設けられた収容部及び第１のロッキング部を示す図である。
【図３】キャリヤに設けられた連結手段を示す図である。
【図４】キャリヤに設けられた第２のロッキング部の一部を示す図である
【図５】キャリヤに設けられた第２のロッキングの付加的な詳細を示す図である。
【符号の説明】
２  カート、  ４  キャリヤ、  ６  車輪、  ８  ハンドル、  １０  棚、  １２  第１のロッキング部、  １４  収容部、  １６  後側区分、  １８  車輪、  ２０  底部区分、  ２２Ａ  取付けユニット、  ２４  第２のロッキング部、  ２６  連結手段、  ２８  チャネル、  ３０  開口、  １２Ａ，１２Ｂ  チャネル、  ３２Ａ，３２Ｂ  ピストン、  ３４Ａ，３４Ｂ  孔、  ３６Ａ，３６Ｂ  解放手段、  ３８Ａ，３８Ｂ  第１の連結リンク、  ４０  レバー、  ４２旋回軸、  ４４Ａ，４４Ｂ  第２の連結リンク、  ４６Ａ，４６Ｂ  ばね、  ４８Ａ，４８Ｂ  ストッパ
【図１】
0004001756.tif 000002
【図２】
0004001756.tif 000003
【図３】
0004001756.tif 000004
【図４】
0004001756.tif 000005
【図５】
0004001756.tif 000006